(57)【要約】【目的】コストの低い棚等のアイテム部材取付装置の提供、レイアウトの自由度の向上。【構成】浴室、洗面所、あるいは、物置等の任意の壁面１の所定位置に、係合溝７を有する取付用支持部材２を設け、前記係合溝７に任意形状のアイテム構成部２２を有するアイテム部材１６のフック係合部１７を係合させて取付ける取付装置において、前記係合溝７は前記取付用支持部材２の本体４の固定側係合部５に下向きに開口して形成し、前記フック係合部１７は、切り離した先端係合部１８と該先端係合部１８の前側の基部側当接部２１とを有して形成し、前記係合溝７に下側から挿入後アイテム構成部２２を壁面１に向けて押すと、前記固定側係合部５の一部または全体が変形して係合するように構成し、且つ、フック係合部１７は取付用支持部材２の長さ方向に移動自在に構成した棚等のアイテム部材取付装置。【選択図】　　図２
2004073658.tif 000002
【特許請求の範囲】
【請求項１】
浴室、洗面所、あるいは、物置等の任意の壁面１の所定位置に、係合溝７を有する取付用支持部材２を設け、前記係合溝７に任意形状のアイテム構成部２２を有するアイテム部材１６のフック係合部１７を係合させて取付ける取付装置において、前記係合溝７は前記取付用支持部材２の本体４の固定側係合部５に下向きに開口して形成し、前記フック係合部１７は、切り離した先端係合部１８と該先端係合部１８の前側の基部側当接部２１とを有して形成し、前記係合溝７に下側から挿入後アイテム構成部２２を壁面１に向けて押すと、前記固定側係合部５の一部または全体が変形して係合するように構成し、且つ、フック係合部１７は取付用支持部材２の長さ方向に移動自在に構成した棚等のアイテム部材取付装置。
【請求項２】
請求項１において、前記係合溝７内の後側下部には後側嵌合凹部１１を形成し、前記固定側係合部５の前側の前側板部１２には前記後側嵌合凹部１１と先端係合部１８との嵌合部分中心に回動するフック係合部１７の基部側当接部２１が当接する前側係合段部１３を形成した棚等のアイテム部材取付装置。
【請求項３】
請求項１において、前記係合溝７内の後側下部には後側嵌合凹部１１を形成し、前記固定側係合部５の前側の前側板部１２には、前記後側嵌合凹部１１と先端係合部１８との嵌合部分中心に回動するフック係合部１７の基部側当接部２１の回動により弾性変形する変形部４５を設けた棚等のアイテム部材取付装置。
【請求項４】
請求項３において、前記変形部４５は、前記固定側係合部５の前側板部１２に自由移動端４６を有する舌片形状に形成して設け、または、前側板部１２の前側係合段部１３の下方であって前記壁面１との間に変形用隙間５７を有して設けた棚等のアイテム部材取付装置。
【請求項５】
浴室、洗面所、あるいは、物置等の任意の壁面１の所定位置に、係合溝７を有する取付用支持部材２を設け、前記係合溝７に任意形状のアイテム構成部２２を有するアイテム部材１６のフック係合部１７を係合させて取付ける取付装置において、前記取付用支持部材２の本体４の固定側係合部５に下向きに開口した前記係合溝７内には前後に夫々凹む前側係合凹部１４と後側係合凹部１１を形成し、前記フック係合部１７の先端係合部１８は後側係合凹部１１に嵌合すると該後側係合凹部１１の下部のフック後側係合段部１０中心にフック係合部１７を回動させてフック係合部１７の基部側係合部２１ａを前側係合凹部１４に嵌合するように構成し、且つ、フック係合部１７は取付用支持部材２の長さ方向に移動自在に構成した棚等のアイテム部材取付装置。
【請求項６】
請求項５において、前記係合溝７は、前記本体４の固定側係合部５内に嵌合させたスリーブ部材５０の内側に形成した棚等のアイテム部材取付装置。
【請求項７】
請求項６において、前記スリーブ部材５０は、該スリーブ部材５０の上面と前記本体４の固定側係合部５の内面との間の所定位置に隙間を有して嵌合させた棚等のアイテム部材取付装置。
【請求項８】
請求項６または請求項７において、前記スリーブ部材５０は、該スリーブ部材５０の上面に設けた突条５６により前記本体４の固定側係合部５の内面との間に隙間を形成するようにした棚等のアイテム部材取付装置。
【請求項９】
請求項１〜請求項８の何れかにおいて、前記本体４の反壁面１側にはカバー３０を着脱自在に取付け、本体４およびカバー３０の側端部には、取付用支持部材２の固定側係合部５に向けて突き出し基部側下面の切欠部４２部分より下方に折り畳み自在に形成した取付用腕４１を有するカバーキャップ４０を、前記取付用腕４１を本体４の固定側係合部５の下側から螺子４３により取付けるように構成した棚等のアイテム部材取付装置。
【発明の詳細な説明】
【０００１】
【産業上の利用分野】
本発明は、任意の場所の壁面に棚などのアイテム部材を取付ける装置に係るものである。
【０００２】
【従来技術】
従来、公知公報の存在は不知であるが、浴室、洗面所、あるいは、物置等の任意の壁面ａ全体に、壁面ａより手前に所定距離おいて化粧板ｂを取付け、この化粧板ｂは所定の上下幅で形成し、この化粧板ｂの上縁と下縁の間に隙間ｃを設け、この隙間ｃに斜めの係合溝ｄを有する取付用支持部材ｅを設け、前記係合溝ｄに任意形状のアイテム構成部ｆを有するアイテム部材ｇのフック係合部ｈを係合させる棚等のアイテム部材取付装置は、公知である。
【０００３】
【発明が解決しようとする課題】
前記公知例は、アイテム部材を設けようとする壁面ａ１の前面に、化粧板ｂを設けないと、取付用支持部材ｅを取付けられないから、コストが高く、高いコストを要しながら、化粧板ｂの形状と大きさの制約を受けて、アイテム部材ｇの配置の自由度は低いという課題がある。
また、公知例は、斜め下向きに開口する係合溝ｄに、フック係合部ｈを嵌合させ、フック係合部ｈが係合溝ｄに嵌合するとフック係合部ｈは化粧板ｂに密着して荷重を支持する構成のため、浴室で使用すると、毛細管現象により係合溝ｄ内およびフック係合部ｈの周辺は常時水気が存在し、黴の発生等の不具合がある。本願は、種々の形状のアイテム部材を自由なレイアウトで場所を選ばずに設置可能にしたものであり、前記課題を解決するものである。
【０００４】
【発明の目的】
コストの低い棚等のアイテム部材取付装置の提供、レイアウトの自由度の向上。
【０００５】
【課題を解決するための手段】
本発明は、浴室、洗面所、あるいは、物置等の任意の壁面１の所定位置に、係合溝７を有する取付用支持部材２を設け、前記係合溝７に任意形状のアイテム構成部２２を有するアイテム部材１６のフック係合部１７を係合させて取付ける取付装置において、前記係合溝７は前記取付用支持部材２の本体４の固定側係合部５に下向きに開口して形成し、前記フック係合部１７は、切り離した先端係合部１８と該先端係合部１８の前側の基部側当接部２１とを有して形成し、前記係合溝７に下側から挿入後アイテム構成部２２を壁面１に向けて押すと、前記固定側係合部５の一部または全体が変形して係合するように構成し、且つ、フック係合部１７は取付用支持部材２の長さ方向に移動自在に構成した棚等のアイテム部材取付装置としたものである。
本発明は、前記係合溝７内の後側下部には後側嵌合凹部１１を形成し、前記固定側係合部５の前側の前側板部１２には前記後側嵌合凹部１１と先端係合部１８との嵌合部分中心に回動するフック係合部１７の基部側当接部２１が当接する前側係合段部１３を形成した棚等のアイテム部材取付装置としたものである。
本発明は、前記係合溝７内の後側下部には後側嵌合凹部１１を形成し、前記固定側係合部５の前側の前側板部１２には、前記後側嵌合凹部１１と先端係合部１８との嵌合部分中心に回動するフック係合部１７の基部側当接部２１の回動により弾性変形する変形部４５を設けた棚等のアイテム部材取付装置としたものである。
本発明は、前記変形部４５は、前記固定側係合部５の前側板部１２に自由移動端４６を有する舌片形状に形成して設け、または、前側板部１２の前側係合段部１３の下方であって前記壁面１との間に変形用隙間５７を有して設けた棚等のアイテム部材取付装置としたものである。
本発明は、浴室、洗面所、あるいは、物置等の任意の壁面１の所定位置に、係合溝７を有する取付用支持部材２を設け、前記係合溝７に任意形状のアイテム構成部２２を有するアイテム部材１６のフック係合部１７を係合させて取付ける取付装置において、前記取付用支持部材２の本体４の固定側係合部５に下向きに開口した前記係合溝７内には前後に夫々凹む前側係合凹部１４と後側係合凹部１１を形成し、前記フック係合部１７の先端係合部１８は後側係合凹部１１に嵌合すると該後側係合凹部１１の下部のフック後側係合段部１０中心にフック係合部１７を回動させてフック係合部１７の基部側係合部２１ａを前側係合凹部１４に嵌合するように構成し、且つ、フック係合部１７は取付用支持部材２の長さ方向に移動自在に構成した棚等のアイテム部材取付装置としたものである。
本発明は、前記係合溝７は、前記本体４の固定側係合部５内に嵌合させたスリーブ部材５０の内側に形成した棚等のアイテム部材取付装置としたものである。本発明は、前記スリーブ部材５０は、該スリーブ部材５０の上面と前記本体４の固定側係合部５の内面との間の所定位置に隙間を有して嵌合させた棚等のアイテム部材取付装置としたものである。
本発明は、前記スリーブ部材５０は、該スリーブ部材５０の上面に設けた突条５６により前記本体４の固定側係合部５の内面との間に隙間を形成するようにした棚等のアイテム部材取付装置としたものである。
本発明は、前記本体４の反壁面１側にはカバー３０を着脱自在に取付け、本体４およびカバー３０の側端部には、取付用支持部材２の固定側係合部５に向けて突き出し基部側下面の切欠部４２部分より下方に折り畳み自在に形成した取付用腕４１を有するカバーキャップ４０を、前記取付用腕４１を本体４の固定側係合部５の下側から螺子４３により取付けるように構成した棚等のアイテム部材取付装置としたものである。
【０００６】
【実施例】
本発明の実施例を図面により説明すると、１は浴室、洗面所、あるいは、物置等の任意の場所の壁面であり、理解を容易にするため、壁面１側が「前」、壁面１の手前側を「後」とすると（方向は要件ではない）、壁面１には左右方向に所定長さを有するレール形状の取付用支持部材２の本体４の縦板部３を螺子等の止着具８により固定する。縦板部３には後側に至るに従い下方に位置する側面視略逆Ｕ型形状の固定側係合部５を形成し、該固定側係合部５の内面側に係合溝７を形成する。
前記固定側係合部５の後側は後側に至るに従い低く傾斜する後側傾斜部９に形成し、後側傾斜部９の下部には係合溝７の内側前方に向かって突き出る後側係合段部１０を一体的に形成し、前記後側傾斜部９の下面と後側係合段部１０の上面との間に後側に凹む後側嵌合凹部１１を形成する。
前記固定側係合部５の前側は縦板状に形成した前側板部１２に形成し、側面視において前記後側係合段部１０より上方の前側板部１２の後面には係合溝７の内側後方に向かって突き出る前側係合段部１３を形成し、前側係合段部１３と後側傾斜部９の下面との間に前側に凹む前側嵌合凹部１４を形成する。
係合溝７の内側には後述する取付用支持部材２に取付けるアイテム部材１６のフック係合部１７を係合させる。フック係合部１７は後側に位置する先端を切り離した先端係合部１８に形成し、先端係合部１８は係合溝７の前側嵌合凹部１４に円滑に係合させる。先端係合部１８には先端係合部１８に続いて前側に至るに従い高く傾斜させた傾斜部１９を形成し、傾斜部１９の基部には縦方向の縦板部２０を形成し、傾斜部１９と縦板部２０の間に円弧形状の基部側当接部２１を形成し、また、前記縦板部２０から上部を前記フック係合部１７に形成し、縦板部２０から下方に各アイテム部材１６のアイテム構成部２２を形成してアイテム部材１６を構成している。
アイテム構成部２２は、棚２４、フック２５、石鹸トレー２６、シャワーフック２７、歯ブラシポケット２８、ワイヤ製収納棚２９等の任意形状に形成し、これらのアイテム部材１６を取付用支持部材２に着脱自在に取付ける。
この場合、本体４および係合溝７と、アイテム部材１６のフック係合部１７は何れの部分も断面形状が同じであり、アイテム部材１６は取付用支持部材２に対して取付用支持部材２の長さ方向に移動自在となる。
【０００７】
しかして、取付用支持部材２は各アイテム部材１６の長さに対応させたものを壁面１に固定し、この取付用支持部材２の係合溝７にアイテム部材１６のフック係合部１７を係合させれば、取付および設置が完了する。
即ち、取付用支持部材２の係合溝７は下向きに開口して形成し、アイテム部材１６のフック係合部１７は後側に先端係合部１８を有して形成しているので、係合溝７の下方からフック係合部１７を挿入してアイテム部材１６を下に押すようにすると、固定側係合部５が変形してフック係合部１７が係合溝７に係合し、アイテム部材１６と同じ幅の取付用支持部材２を壁面１に取付ければ、アイテム部材１６を壁面１に設置できるのである。
また、アイテム部材１６は係合溝７に下から嵌め込めばよいので、取付用支持部材２の長さをアイテム部材１６の幅より長く形成したときには、アイテム部材１６は取付用支持部材２に対して取付用支持部材２の長さ方向に移動自在となるので、簡単にレイアウトを変更できる。
２３はアイテム部材１６のアイテム構成部２２に設けた当接部であり、フック係合部１７を係合溝７に係合させると、壁面１に当接してアイテム部材１６ががた止めとなる。即ち、フック係合部１７を係合溝７に係合させると、荷重を支持するから、この状態で、当接部２３を壁面１に当接させるとアイテム部材１６のがたつきを防止する。
【０００８】
しかして、取付用支持部材２の本体４の後側外周にはカバー３０を取付ける。カバー３０は上側板３１と中間板３２と下側板３３により略コの字形状に形成され、上側板３１の端縁には上側係合部３４を形成し、中間板３２の内面には本体４に向けて突き出る中間係合体３５を設け、中間板３２の下端縁は下側係合部３６に形成し、上側係合部３４は取付用支持部材２の縦板部３の上端に設けた本体上側係合部３７に係合させ、中間係合体３５は固定側係合部５の上側に設けた本体側中間係合部３８に係合させ、下側係合部３６は固定側係合部５の後側面に弾力的に嵌合させて取付ける。
しかして、取付用支持部材２の本体４の端部にはカバーキャップ４０を取付ける。カバーキャップ４０は本体４およびカバー３０の側端部に嵌合するように取付けるものであり、カバーキャップ４０の内面には本体４の長さ方向の内側に向けて突出する取付用腕４１の基部を一体状に設け、カバーキャップ４０の内面より内側の取付用腕４１の基部下面には切欠部４２を形成し、切欠部４２部分より下方に折り畳み自在に形成し、取付用腕４１の先端には螺子４３を取付ける螺子用孔４４を形成する。
通常、カバーキャップ４０は本体４およびカバー３０の側端部に側方から嵌合させ、カバーキャップ４０の取付用腕４１を本体４の係合溝７内に挿入し、係合溝７の下側から螺子４３により本体４に固定する。しかし、本体４の取付壁面１に対する側方壁面１が本体４の端部近傍にあるときは、取付用腕４１を折り畳んで本体４の端部と側方壁面１の間に正面からカバーキャップ４０を挿入し、挿入後、取付用腕４１を伸ばして本体４の固定側係合部５の下方に位置させて、係合溝７の下側から螺子４３により本体４に固定する。
【０００９】
しかして、図１１〜図１５は、固定側係合部５および係合溝７に関する他の実施例であり、前記固定側係合部５の後側は前側板部１２には、前記フック係合部１７の基部側当接部２１が当接すると変形して退避する変形部４５を形成する。変形部４５は先端を自由移動端４６に形成し、自由移動端４６の下側に位置する基部を前側板部１２に一体状に形成して構成し、自由移動端４６はフック係合部１７が係合する以前の係合溝７の内側に向かって突き出る進出位置と、フック係合部１７が係合したとき退避する退避位置の間変形自在に形成すると共に、係合しているフック係合部１７の係合を外すと原状復帰するように、弾性を有して形成する。
したがって、固定側係合部５の他の部分は、フック係合部１７の係合に際して変形することは要せず、この点において第１実施例と相違するが、固定側係合部５の変形が係合溝７内で行われるため、外側からの衝撃に起因する変形および破損を著しく減少させて、耐久性を向上させている。
この場合、変形部４５は実施例では上向きに突き出る舌片形状に形成し、上端を自由移動端４６に形成しているが、下向きに突き出る舌片形状に形成しもよい。
【００１０】
しかして、図１６〜図２２は、固定側係合部５および係合溝７に関する他の実施例であり、前記固定側係合部５の内面に合成樹脂製のスリーブ部材５０を嵌合させ、スリーブ部材５０の内側に係合溝７を形成し、係合溝７に面するスリーブ部材５０の内面に前記変形部４５を形成し、フック係合部１７の係合離脱は変形部４５を変形させて行う。
したがって、本実施例では固定側係合部５の内面にはスリーブ部材５０を嵌合させるスリーブ嵌合溝５１を形成する。
スリーブ嵌合溝５１内の前後側には夫々前後に凹むスリーブ用前側嵌合凹部５２とスリーブ用後側嵌合凹部５３を夫々形成し、スリーブ用前側嵌合凹部５２とスリーブ用後側嵌合凹部５３の下方の固定側係合部５には夫々スリーブ嵌合溝５１の内側に向かって突き出るスリーブ用前側係合段部５４とスリーブ用後側係合段部５５を夫々形成する。
前記スリーブ部材５０は合成樹脂等の弾性部材によりスリーブ嵌合溝５１の略内側形状に対応させた外周形状に形成し、所定部分のスリーブ部材５０と固定側係合部５の間にスリーブ部材５０を容易に変形させるための隙間を設ける。
スリーブ部材５０は、本体４の固定側係合部５のスリーブ嵌合溝５１に側方から嵌合させて本体４に取付ける。スリーブ部材５０の上側外周面には前後に所定間隔を置いて複数の突条５６を形成し、突条５６の上面をスリーブ嵌合溝５１の内面に当接させる。突条５６はスリーブ部材５０を固定側係合部５のスリーブ嵌合溝５１に嵌合させるときの変形を容易にするようにも作用し、好適である。
【００１１】
スリーブ部材５０の内側の係合溝７内の前後側には、夫々前後に凹む前側係合凹部１４と後側係合凹部１１を夫々形成し、後側係合凹部１１の下方には係合溝７の内側前方に向かって突き出るフック後側係合段部１０を形成し、前側係合凹部１４の下方には係合溝７の内側に向かって突き出る前側係合段部１３に形成する。
前記前側係合段部１３の前面と固定側係合部５のスリーブ嵌合溝５１の内周面との間には変形用隙間５７を形成し、前側係合段部１３および前側係合段部１３に続いて下方に伸びる部分のスリーブ部材５０が本実施例の前記フック係合部１７の基部側当接部２１が当接すると変形して退避する変形部４５を構成する。
変形部４５は、スリーブ部材５０の前側下端を変形部４５の前記自由移動端４６に形成し、この変形部４５の基部が前側係合段部１３となって一体状に形成して構成し、自由移動端４６はフック係合部１７が係合する以前の係合溝７の内側に向かって突き出る進出位置と、フック係合部１７が係合したとき退避する退避位置の間変形自在に形成すると共に、係合しているフック係合部１７の係合を外すと原状復帰するように、弾性を有して形成する。
したがって、変形部４５を形成するスリーブ部材５０そのものが合成樹脂により弾性変形するように構成され、この点において第２実施例と相違するが、このため、フック係合部１７の係合が円滑容易になって操作感が向上し、更に、フック係合部１７の継脱に対する異音発生を著しく減少させると共に、耐久性を向上させている。
しかして、フック係合部１７の先端係合部１８はスリーブ部材５０の前側係合凹部１４に円滑に係合するように断面円弧形状に形成し、先端係合部１８に続いて前側に至るに従い高く傾斜させた傾斜部１９に形成し、傾斜部１９の基部には前側に向かって膨出する基部側係合部（基部側当接部）２１ａを形成する。
この傾斜部１９の基部に基部側係合部（基部側当接部）２１ａを形成する点が第２実施例と相違する。
【００１２】
しかして、第３実施例では本体４の形状が相違するため、これに対応させた形状にカバー３０を形成し、上側板３１の端縁に上側係合部３４を形成し、下側板３３の端縁に下側係合部３６を形成し、上側係合部３４は本体上側係合部３７に係合させ、下側係合部３６は固定側係合部５の後側下部に設けた本体下側係合部６０に係合させて取付ける。
しかして、前記実施例において、係合溝７内の前後側の前側係合凹部１４と後側係合凹部１１との夫々の位置関係は、前側係合凹部１４と後側係合凹部１１の何れが高くてもよく、図２３のように、後側係合凹部１１に対して前側係合凹部１４が同じか低くてもよい。
即ち、フック係合部１７の先端係合部１８が後側係合凹部１１に係合し、基部側当接部２１またはフック係合部１７の他の部分が係合溝７の任意の内周面に当接してフック係合部１７の回動を停止させ、これにより、係合溝７とフック係合部１７とが、相対的に、先端係合部１８と後側係合凹部１１との嵌合部中心の外れ方向とアイテム部材１６に掛かる荷重方向とを不一致にさせて、荷重を支持すればよい。
【００１３】
【作用】
次に作用を述べる。
浴室、洗面所、あるいは、物置等の任意の壁面１の所定位置に、取付用支持部材２の本体４の縦板部３を当てがい、螺子等の止着具８により固定する。
取付用支持部材２の本体４は、縦板部３の後面に後側に至るに従い下方に位置する下側に向いて開口する固定側係合部５を形成し、該固定側係合部５の内側に係合溝７を形成しているから、係合溝７にアイテム部材１６のフック係合部１７を係合させると、取付用支持部材２にアイテム部材１６を装着できる。
したがって、任意の壁面１に取付用支持部材２を取付けるだけで、取付用支持部材２にアイテム部材１６を簡単に装着できる。
この場合、アイテム部材１６のフック係合部１７は、先端を切離し端に形成した先端係合部１８に続いて傾斜部１９を形成し、傾斜部１９に続いて円弧形状の基部側当接部２１を介して縦方向の縦板部２０を形成し、取付用支持部材２の係合溝７内の後側には後側嵌合凹部１１を形成しているから、アイテム部材１６のフック係合部１７は、先端係合部１８を上に向けて図２のように係合溝７に下から挿入して壁面１に向けて押すと、先端係合部１８が後側嵌合凹部１１に嵌って、この状態で回動する。
固定側係合部５の前側板部１２は壁面１に当接しているから、壁面１に向けて押すと、フック係合部１７の基部側当接部２１が前側係合段部１３を乗り越えるときに固定側係合部５を変形させ、これにより係合が完了し、フック係合部１７の基部側当接部２１が係合溝７の内周に当たってアイテム部材１６の回動を停止させ、装着される。
【００１４】
したがって、前後に位置するフック係合部１７の先端係合部１８が後側嵌合凹部１１に嵌っており、アイテム部材１６に掛かる荷重は先端係合部１８を中心として基部側当接部２１が上方回動するように作用するから、フック係合部１７を下から挿入させて回動させるだけで、先端係合部１８と基部側当接部２１はアイテム部材１６のアイテム構成部２２に載置した物品の荷重を支持する。
それゆえ、係合溝７とフック係合部１７との係合部部分以外のアイテム部材１６は、取付用支持部材２や壁面１に接触させる必要がなく、アイテム部材１６周辺の通気性を良好にし、黴発生等の不具合が生じない。
また、アイテム部材１６のフック係合部１７が係合溝７に係合するとき、フック係合部１７の基部側当接部２１が前側係合段部１３を乗り越えるので、この乗り越えるときの感触が作業者に節度感を感じさせることになり、係合完了状態を容易に確認でき、無用な力を掛けて破損させる事態を回避させる。
【００１５】
しかして、取付用支持部材２の係合溝７からアイテム部材１６を外すときは、アイテム部材１６のアイテム構成部２２を手前側に引きながら持ち上げるようにすると、アイテム部材１６のフック係合部１７の基部側当接部２１が前側係合段部１３を乗り越えてから外れ、更に、手前に引くと先端係合部１８が後側嵌合凹部１１から外れて、この状態でアイテム部材１６全体を下げると、外せる。
この場合も、固定側係合部５が変形するので、アイテム部材１６の取り外しは容易であり、係合溝７とフック係合部１７の両者の何れにも傷がつかず、頻繁な着脱に対する耐久性も向上する。
アイテム部材１６は、フック係合部１７の縦板部２０に対するアイテム構成部２２の形状の制約を受けないので、アイテム構成部２２の形状を種々変化させることで、物品を載置する棚２４、物品を吊すフック２５、石鹸を置く石鹸トレー２６、シャワーヘッドを係合させるシャワーフック２７、歯ブラシを差し込める歯ブラシポケット２８、ワイヤ製収納棚２９等の種々バラエティーに富んだアイテム部材１６を壁面１に着脱自在に取付けられる。
しかも、アイテム部材１６は下から係合溝７に係合させればよいから、取付用支持部材２の長さ方向の移動も可能であり、その場所に最も適合するレイアウトでアイテム部材１６を配置できる。
この場合、取付用支持部材２は止着具８により本体４を壁面１に固定すればよく、アイテム部材１６の大きさを考慮すれば上下方向に複数配置することも可能であり、この点でも、レイアウトの自由度を飛躍的に向上させ、更に、取付用支持部材２は本体４を壁面１に直接固定すればよいので、後付けに対する制約もない。
【００１６】
しかして、取付用支持部材２の本体４の縦板部３の上端に設けた本体上側係合部３７にカバー３０の上側係合部３４を係合させ、この状態でカバー３０の上下中間部の中間係合体３５を固定側係合部５の上側に設けた本体側中間係合部３８に向けて押すと、カバー３０が変形し、中間係合体３５が本体側中間係合部３８に係合し、カバー３０の下側係合部３６が本体４の固定側係合部５の後側下面に当接嵌合して、カバー３０の取付が完了する。
したがって、取付用支持部材２とアイテム部材１６の係合部は、カバー３０により上側より包囲され、洗面所や浴室に設置しても、係合溝７内に水が浸入するのを極力排除できる。
この場合、アイテム部材１６のフック係合部１７の縦板部２０は、壁面１から離れているので、毛細管現象で係合溝７に水が浸入することはない。
しかして、本体４およびカバー３０の側端部にはカバーキャップ４０を嵌合させ、カバーキャップ４０の取付用腕４１を取付用支持部材２の固定側係合部５の係合溝７内に挿入し、係合溝７の下側から螺子４３により本体４に固定する。
この場合、取付用腕取付用腕４１はカバーキャップ４０の内面より内側に所定距離をおいた部分の基部下面に切欠部４２を形成し、取付用腕取付用腕４１の切欠部４２部分より先側は下方に折り畳み自在に形成しているから、取付用腕４１を折り畳んで本体４の端部と側方壁面１の間に正面からカバーキャップ４０を挿入し、挿入後、取付用腕４１を伸ばして取付用支持部材２の固定側係合部５の下方に位置させて、係合溝７の下側から螺子４３により本体４に固定する。
そのため、切欠部４２より取付用腕４１の先端までの長さ分、カバーキャップ４０を側方の壁面１に近接させて取付けることが可能となり、取付用支持部材２の設置できる範囲を拡大できる。
【００１７】
しかして、図１１〜図１５の、固定側係合部５および係合溝７に関する他の実施例では、前記作用を奏する他に、前記固定側係合部５の後側は前側板部１２には、前記フック係合部１７の基部側当接部２１が当接すると変形して退避する変形部４５を形成しているから、変形部４５はフック係合部１７が係合する以前の係合溝７の内側に向かって突き出る進出位置からフック係合部１７が係合したとき退避する退避位置に変形し、フック係合部１７は係合溝７に係合する。
したがって、フック係合部１７の先端係合部１８と基部側当接部２１が夫々前側嵌合凹部１４と後側嵌合凹部１１に嵌って、アイテム部材１６に掛かる荷重は先端係合部１８を中心として基部側当接部２１が上方回動するように作用して、先端係合部１８と基部側当接部２１はアイテム部材１６のアイテム構成部２２に載置した物品の荷重を支持する。
しかも、係合溝７内に位置する固定側係合部５の変形部４５部分はフック係合部１７が継脱するときに変形および原状復帰するように弾性を有して形成するが、他の部分はフック係合部１７の係合に際して変形することは要しないので、剛性を持たせて形成でき、固定側係合部５は外側からの衝撃や荷重が加えられることに起因する変形および破損を著しく減少させて、耐久性を向上させている。
【００１８】
変形部４５は先端を自由移動端自由移動端４６に形成し、自由移動端４６の下側に位置する基部を前側板部１２に一体状に形成して構成しているから、先端係合部１８を上に向けて図１５のように係合溝７に下から挿入して壁面１に向けて押すと、先端係合部１８が後側嵌合凹部１１に嵌って、この状態で回動し、フック係合部１７の基部側当接部２１が変形部４５に当接して前側に退避させ、変形部４５の自由移動端４６を乗り越えて係合が完了し、フック係合部１７の傾斜部１９が係合溝７の内周に当たってアイテム部材１６の回動を停止させ、装着される。
このフック係合部１７の基部側当接部２１が変形部４５の自由移動端４６を乗り越えると、自由移動端４６は前側板部１２から離れ、変形部４５は弾力的にフック係合部１７を後側に押して、フック係合部１７全体の嵌合状態を保持する。そして、フック係合部１７を外すには、アイテム部材１６のアイテム構成部２２を手前側に引きながら持ち上げるようにすると、フック係合部１７の基部側当接部２１が変形部４５の自由移動端４６を押して変形させて乗り越えて外れ、更に、手前に引くと先端係合部１８が前側嵌合凹部１４から外れて、この状態でアイテム部材１６全体を下げると、外せる。
【００１９】
しかして、図１６〜図２２の固定側係合部５および係合溝７に関する他の実施例では、前記固定側係合部５の内面に合成樹脂等の弾性部材により形成したスリーブ部材５０を嵌合させ、スリーブ部材５０の内側に係合溝７を形成し、係合溝７に面するスリーブ部材５０の内面に前記変形部４５を形成しているから、フック係合部１７の係合離脱は変形部４５を変形させて行う。
したがって、係合溝７にアイテム部材１６のフック係合部１７を係合させるとき、スリーブ部材５０が弾性変形して係合を円滑にし、また、係合後はスリーブ部材５０は元の形状に弾性復帰するので、外れにくく、係合状態を強固に支持する。即ち、変形部４５を形成するスリーブ部材５０そのものが合成樹脂により弾性変形するように構成されているから、フック係合部１７の係合が円滑容易になって操作感が向上し、更に、フック係合部１７の継脱に対する異音発生を著しく減少させると共に、耐久性を向上させている。
この場合、スリーブ部材５０の前側上面外周と取付用支持部材２のスリーブ嵌合溝５１の内面との間の所定部分には僅かに隙間が形成されているから、係合溝７にアイテム部材１６のフック係合部１７を係合させるとき、スリーブ部材５０の弾性変形を容易にして係合を円滑にする。
【００２０】
特に、スリーブ部材５０の前側係合段部１３の前面と固定側係合部５のスリーブ嵌合溝５１の内周面との間には変形用隙間５７を形成しているから、前側係合段部１３およびその下方部分が変形部４５となって、フック係合部１７の基部側係合部２１ａが変形部４５に当接すると、変形部４５の自由移動端４６が変形用隙間５７に向って退避するように変形し、これにより、フック係合部１７の基部側係合部２１ａが前側係合段部１３を乗り越えて前側係合凹部１４に嵌合して、係合が完了する。
また、フック係合部１７の先端係合部１８は断面円弧形状に形成しているから、スリーブ部材５０の前側係合凹部１４に円滑に係合する。
また、前側嵌合凹部１４と後側嵌合凹部１１の下方は係合溝７の前後幅を小さくするように内側に突き出る前側係合段部１３と後側嵌合凹部１１を形成しているから、先端係合部１８は後側嵌合凹部１１に、基部側係合部２１ａは前側係合段部１３に夫々嵌合し、一層、係合状態を良好に保持する。
【００２１】
しかして、係合溝７からアイテム部材１６を外すときは、アイテム部材１６のアイテム構成部３６を手前側に引きながら持ち上げるようにすると、アイテム部材１６のフック係合部１７の基部側係合部２１ａが前側係合凹部１４から外れて前側係合段部１３を乗り越え、更に、手前に引くと先端係合部１８が後側係合凹部１１から外れて、この状態でアイテム部材１６全体を下げると、外せる。
この場合も、スリーブ部材５０が変形するので、アイテム部材１６の取り外しは容易であり、スリーブ部材５０とフック係合部１７の両者の何れにも傷がつかず、頻繁な着脱に対する耐久性も向上する。
しかして、取付用支持部材２の本体４の縦板部３の上端に設けた本体上側係合部３７にカバー３０の上側係合部３４を係合させ、この状態でカバー３０の上下中間部を本体４に向けて押すと、カバー３０が変形し、カバー３０の下側係合部３６が本体４の固定側係合部５の後側下部に設けた本体下側係合部本体下側係合部６０に係合して、カバー３０の取付が完了する。
【００２２】
【効果】
請求項１の発明では、任意の壁面１に取付用支持部材２を取付けるだけで、取付用支持部材２にアイテム部材１６を簡単に装着でき、後付けも容易である。
請求項２の発明では、前項の効果に加えて、下向き開口の係合溝７にフック係合部１７を係合させることができ、特に、浴室等の水滴が付着しやすい場所でも設置可能であり、黴発生等の不具合を抑制できる。
請求項３の発明では、前項の効果に加えて、係合溝７にアイテム部材１６のフック係合部１７を係合させるとき、係合溝７は弾性変形して係合を円滑にし、また、係合後は係合溝７は元の形状に弾性復帰するので、外れにくく、係合状態を強固に支持する。
請求項４の発明では、前項の効果に加えて、簡単に構成でき、コストを低くできる。
請求項５の発明では、任意の壁面１に取付用支持部材２を取付けるだけで、取付用支持部材２にアイテム部材１６を簡単に装着でき、後付けも容易である。
請求項６の発明では、前項の効果に加えて、着脱を容易にできる。
請求項７の発明では、前項の効果に加えて、着脱を容易にした合理的構成となる。
請求項８の発明では、前項の効果に加えて、スリーブ部材５０の変形を容易にし、本体４への取付を容易にできる。
請求項９の発明では、前項の効果に加えて、取付用支持部材２を、正面の壁面１に対する側方壁面１に可及的に近接させて取付けられ、取付用支持部材２の設置できる範囲を広くできる。
【図面の簡単な説明】
【図１】取付用支持部材とアイテム部材の斜視図。
【図２】同側面図。
【図３】本体の断面図。
【図４】本体にカバーを取付けた縦断側面図。
【図５】アイテム部材の係合状態の縦断側面図。
【図６】同係合途中状態の説明図。
【図７】各種アイテム部材の参考斜視図。
【図８】カバーキャップ正面図。
【図９】同平面図。
【図１０】同取付状態正面図。
【図１１】取付用支持部材とアイテム部材の他の実施例の斜視図。
【図１２】同本体の断面図。
【図１３】同本体にカバーを取付けた縦断側面図。
【図１４】同アイテム部材の係合状態の縦断側面図。
【図１５】同係合途中状態の説明図。
【図１６】取付用支持部材とアイテム部材の他の実施例の斜視図。
【図１７】同側面図。
【図１８】同本体の断面図。
【図１９】同スリーブ部材の断面図。
【図２０】同アイテム部材の側面図。
【図２１】同本体にカバーとキャップを取付けた縦断側面図。
【図２２】同アイテム部材の係合状態の縦断側面図。
【図２３】取付用支持部材とアイテム部材の他の実施例の斜視図。
【図２４】公知例の断面図。
【符号の説明】
１…壁面、２…取付用支持部材、３…縦板部、４…本体、５…固定側係合部、６…スリーブ嵌合溝、７…係合溝、８…止着具、９…後側傾斜部、１０…後側係合段部、１１…後側嵌合凹部、１２…前側板部、１３…前側係合段部、１４…前側嵌合凹部、１５…スリーブ部材、１６…アイテム部材、１７…フック係合部、１８…先端係合部、１９…傾斜部、２０…縦板部、２１…基部側当接部、２１ａ…基部側係合部、２２…アイテム構成部、２３…当接部、２４…棚、２５…フック、２６…石鹸トレー、２７…シャワーフック、２８…歯ブラシポケット、３０…カバー、３１…上側板、３２…中間板、３３…下側板、３４…上側係合部、３５…中間係合体、３６…下側係合部、３７…本体上側係合部、４０…カバーキャップ、４１…取付用腕、４２…切欠部、４３…螺子、４４…螺子用孔、４５…変形部、４６…自由移動端、５０…スリーブ部材、５１…スリーブ嵌合溝、５２…スリーブ用前側嵌合凹部、５３…スリーブ用後側嵌合凹部、５４…スリーブ用前側係合段部、５５…スリーブ用後側係合段部、５６…突条、５７…変形用隙間。
【図１】
2004073658.tif 000003
【図２】
2004073658.tif 000004
【図３】
2004073658.tif 000005
【図４】
2004073658.tif 000006
【図５】
2004073658.tif 000007
【図６】
2004073658.tif 000008
【図７】
2004073658.tif 000009
【図８】
2004073658.tif 000010
【図９】
2004073658.tif 000011
【図１０】
2004073658.tif 000012
【図１１】
2004073658.tif 000013
【図１２】
2004073658.tif 000014
【図１３】
2004073658.tif 000015
【図１４】
2004073658.tif 000016
【図１５】
2004073658.tif 000017
【図１６】
2004073658.tif 000018
【図１７】
2004073658.tif 000019
【図１８】
2004073658.tif 000020
【図１９】
2004073658.tif 000021
【図２０】
2004073658.tif 000022
【図２１】
2004073658.tif 000023
【図２２】
2004073658.tif 000024
【図２３】
2004073658.tif 000025
【図２４】
2004073658.tif 000026